(57)【要約】      （修正有）【課題】温泉やスパ施設、レジャー施設、リゾート施設、または老人ホーム、ホテル、旅館等の浴室、あるいは寺院、和風建築物等の内部施設に配置される排水溝の蓋体であるグレーチングであって、従来の機能に加えてなごみ（和み）が感じられる形状、構造としたグレーチングを提供すること。【解決手段】木枠１と畳２と金属製グレーチング３とから構成され、木枠１内に畳２と金属製グレーチング３とが組み合わせて収容され固定されている。【選択図】図１
0003161730.tif 000002
【実用新案登録請求の範囲】
【請求項１】
木枠（１）と畳（２）と金属製グレーチング（３）とから構成され、木枠（１）内に畳（２）と金属製グレーチング（３）とが組み合わせて収容され固定されていることを特徴とする複合グレーチング。
【請求項２】
上記畳（２）の畳表、及び畳床が合成樹脂から構成され、且つ流水性、通水性、通気性、及び断熱性に富む構造を有していることを特徴とする請求項１に記載の複合グレーチング。
【請求項３】
上記畳（２）の畳表、及び畳床がポリプロピレンから構成されていることを特徴とする請求項１又は２に記載の複合グレーチング。
【請求項４】
上記木枠（１）が檜から構成されていることを特徴とする請求項１〜３のいずれか１項に記載の複合グレーチング。
【請求項５】
上記金属製グレーチング（３）がステンレス鋼から構成されていることを特徴とする請求項１〜４のいずれか１項に記載の複合グレーチング。
【請求項６】
木枠（１）に代えて、その一部又は全部を、プラスチック及び／又は金属で構成した枠（１）を用いることを特徴とする請求項１〜５のいずれか１項に記載の複合グレーチング。
【請求項７】
金属製グレーチング（３）に代えて、その一部又は全部を、プラスチックで構成したグレーチング（３）を用いることを特徴とする請求項１〜６のいずれか１項に記載の複合グレーチング。
【考案の詳細な説明】
【技術分野】
【０００１】
本考案は、温泉やスパ施設、レジャー施設、リゾート施設、または老人ホーム、ホテル、旅館等の浴室、あるいは寺院、和風建築物等の内部施設に設けられた排水溝の蓋体として用いられるグレーチングに関する。
【背景技術】
【０００２】
従来、一般の排水溝の蓋体としては、例えば、特許文献１に示されるように、その全体が金属製（例えば、スチール製、ステンレス製）であるグレーチングが多用されており、排水機能や堅ろう性、耐久性は十分であるが、それが例えば浴室用グレーチングの場合には素足で踏みつけると冷感があり、硬く、また美観の点からなごみ（和み）が感じられる形状、構造ではなかった。
ところで、温泉やスパ施設、レジャー施設、リゾート施設、または老人ホーム、ホテル、旅館等に設けられる浴室においては、一般の浴室に比べよりなごみ（和み）感が求められることから、その浴室に配置される排水溝の蓋体においても、従来の機能に加え更になごみ（和み）が感じられるものが望まれており、また一方、寺院、和風建築物等の内部施設に設けられた排水溝の蓋体においても同様に、よりなごみ（和み）が感じられるものが望まれていたが、それに十分答える該蓋体、即ちグレーチングは今まで知られていなかった。
【先行技術文献】
【特許文献】
【０００３】
【特許文献１】特開２００９−０９７３１１号公報
【考案の概要】
【考案が解決しようとする課題】
【０００４】
本考案は、温泉やスパ施設、レジャー施設、リゾート施設、または老人ホーム、ホテル、旅館等の浴室、あるいは寺院、和風建築物等の内部施設に配置される排水溝の蓋体であるグレーチングであって、従来の機能に加えてなごみ（和み）が感じられる形状、構造としたグレーチングを提供することを課題とする。
【課題を解決するための手段】
【０００５】
本考案は前記課題を解決するために、グレーチングを、木枠と畳と金属製グレーチングとから構成し、且つ木枠内に畳と金属製グレーチングとを組み合わせ複合化して収容し固定して構成したものである。
本考案の複合グレーチングは、このように構成したので、温泉やスパ施設、レジャー施設、リゾート施設、または老人ホーム、ホテル、旅館等の浴室、あるいは寺院、和風建築物等の内部施設においてよりフィットし、なごみ（和み）が感じられ、しかも従来のグレーチングの８／１〜１０／１の軽さで取り扱い性やメンテナンスに優れるものである。
【０００６】
即ち、本考案は以下の通りのものである。
１．木枠（１）と畳（２）と金属製グレーチング（３）とから構成され、木枠（１）内に畳（２）と金属製グレーチング（３）とが組み合わせて収容され固定されていることを特徴とする複合グレーチング。
２．上記畳（２）の畳表、及び畳床が合成樹脂から構成され、且つ流水性、通水性、通気性、及び断熱性に富む構造を有していることを特徴とする上記１に記載の複合グレーチング。
３．上記畳（２）の畳表、及び畳床がポリプロピレンから構成されていることを特徴とす
る上記１又は２に記載の複合グレーチング。
４．上記木枠（１）が檜から構成されていることを特徴とする上記１〜３のいずれか１項に記載の複合グレーチング。
５．上記金属製グレーチング（３）がステンレス鋼から構成されていることを特徴とする上記１〜４のいずれか１項に記載の複合グレーチング。
６．木枠（１）に代えて、その一部又は全部を、プラスチック及び／又は金属で構成した枠（１）を用いることを特徴とする上記１〜５のいずれか１項に記載の複合グレーチング。
７．金属製グレーチング（３）に代えて、その一部又は全部を、プラスチックで構成したグレーチング（３）を用いることを特徴とする上記１〜６のいずれか１項に記載の複合グレーチング。
【考案の効果】
【０００７】
本考案の複合グレーチングは、木枠（１）と畳（２）と金属製グレーチング（３）とから構成されるので、一般用の浴室はもとより、特に温泉やスパ施設、レジャー施設、リゾート施設、または老人ホーム、ホテル、旅館等の浴室、あるいは寺院、和風建築物等の内部施設に配置される排水溝の蓋体として用いると、なごみ（和み）感が発揮され、しかも軽量であるので取り扱い性やメンテナンスに優れるとの効果が期待できる。
【図面の簡単な説明】
【０００８】
【図１】本考案のグレーチングの（正面図）、（平面図）、（底面図）、（Ａ−Ａ断面図）である。
【図２】浴室の排水溝に本考案のグレーチング（図１）を取り付けた構造を示す断面図である。
【図３】本考案のグレーチングの他の具体例を示す平面図である。
【図４】本考案のグレーチングの他の具体例を示す平面図である。
【考案を実施するための形態】
【０００９】
以下、本考案の複合グレーチング（以下、単に本考案のグレーチングと称する）について詳細に説明する。
１．本考案のグレーチングの各構成の形状、構造について
ｉ）木枠（１）は、その内に畳（２）と金属製グレーチング（３）とをそれらが面一になるように組み合わせて収容し固定できるものであれば如何なる構造のものでもよく、適宜設計変更できる。
その構造の一例を図１の（Ａ−Ａ断面図）（ハッチング部分参照）に示す。この例では、木枠（１）は、木枠構成部材（１−１），（１−２），（１−３），（１−４）から構成されている。
また、木枠（１）には、図１の（底面図）に示されるように、その剛性、強度を更に向上させるために、その底面に金属製（例えば、ステンレス製）帯状体（１−ａ）を一定間隔毎にビス止め（図示せず）してもよく、そして、該金属製帯状体（１−ａ）は予めＬ字状に屈曲してその強度を増強させてもよく、さらには、その両端に台座用の円柱（例えば、樹脂製）（１−ｂ）を、溶接にて設けた金属製受け皿（図示せず）内に収納しかしめる等の手段により固着してもよい。
場合により、木枠（１）に代えて、その一部又は全部を、プラスチック及び／又は金属で構成した枠（１）を用いることもできる。
【００１０】
ii）畳（２）は、畳表と畳床から構成され、それらは何れも合成樹脂製であり、天然畳に類似する構造であって、一層優れた流水性、通水性、通気性及び断熱性を発揮する構造を有していることが必要である。
その畳表と畳床には光触媒が混入され、或いは光触媒で表面処理して、抗菌、防カビ、
セルフクリーニング等の機能を付与しても良い。
その畳表と畳床の材質としては、ポリプロピレンが望ましい。
畳（２）の市販品としては、例えば、「ダイヤロン（登録商標）」の「耐水畳（畳表：ポリプロピレン複合材、畳床：ポリプロピレン製ヘチマ繊維状立体構造体、光触媒処理）」（ダイヤロン株式会社製）がある。
【００１１】
iii）金属製グレーチング（３）については、図１の（平面図）（３）の構造、配置が例示されるが、これに限定されず、従来公知の何れのグレーチング構造、配置のものでもよく、制限はない。
例えば、図３（ａ）〜（ｃ）〜図４（ｄ）〜（ｅ）（平面図）（３’）〜（３’’’’’）に示される構造、配置のものでもよい。
金属製グレーチング（３）の材質は、金属一般が使用可能であるが、耐食性、強度等の観点からステンレス鋼が望ましい。
場合により、金属製グレーチング（３）に代えて、その一部又は全部を、プラスチックで構成したグレーチング（３）を用いることもできる。
【００１２】
２．本考案のグレーチングの各構成の寸法について
浴室に設けられた排水溝の溝幅寸法に応じて、本考案のグレーチングの寸法は如何様にも自由に設定できる。
その一例を挙げれば、排水溝の溝幅が５０〜２５０ｍｍの場合は、本考案のグレーチングは、幅：１００〜３００ｍｍ、長さ：５００ｍｍ（組合わせた場合の一単位の長さ）、高さ：２０ｍｍとすることができる。
【００１３】
３．本考案のグレーチングの取り付け構造について
例えば、浴室用排水溝への取り付けは、本考案のグレーチングを受け枠に固定し、この受け枠を更にアンカーやボルトを介して排水溝周囲に打設されたコンクリートに固定して行われるが、この他の取り付け構造であっても該排水溝へ強固に固定できるものであれば、一切制限はない。
【実施例】
【００１４】
次に、実施例を用いて本考案のグレーチングを説明する。
この実施例は、浴室用に設けられた蓋体としての一つの具体例を示すだけであり、本考案の範囲を何ら制限するものではない。
以下、図１〜４を用いて本考案のグレーチングを説明する。
図１には、本考案のグレーチングの（正面図）、（平面図）、（底面図）、（Ａ−Ａ断面図）が記載されている。
本考案のグレーチングは、該（平面図）にみられるように、木枠（１）の中に畳（２）と金属製グレーチング（３）とがそれらが面一になるように組み合わせて収容し固定されている。
木枠（１）は、該（Ａ−Ａ断面図）（ハッチング部分参照）に示されるように、木枠構成部材（１−１）、（１−２）、（１−３）、（１−４）からなり、各部材は檜から構成されている。
【００１５】
また、木枠（１）には、該（底面図）に示されるように、その剛性、強度を向上させるために、その底面にＬ字状に屈曲したステンレス製帯状体（１−ａ）を一定間隔毎にビス止め（図示せず）し、さらにその両端に溶接にて設けた金属製受け皿（図示せず）内に収納しかしめて固着した台座用樹脂製円柱（１−ｂ）が設けられている。
畳（２）としては、「ダイヤロン（登録商標）」の「耐水畳（畳表：ポリプロピレン複合材、畳床：ポリプロピレン製ヘチマ繊維状立体構造体、光触媒処理）」（ダイヤロン株式会社製）が使用され、流水性、通水性、通気性及び断熱性、並びに抗菌、防カビ、セル
フクリーニング性を備えている。
金属製グレーチング（３）は、該（平面図）わかるように、断面Ｔ字形の長尺部材（３−１）の多数本とそれらを互いに所定間隔毎に且つ平行になるよう固定するために、その脚部を貫通して係合するクロスバー（３−２）からなり、いずれもステンレス鋼から構成されている。
【００１６】
図２は、浴室の排水溝に本考案のグレーチング（図１）を取り付けた一具体例を示している。
金属製グレーチング（３）を金属製受け枠（４）に固定し、この受け枠（４）に固定されたアンカー（５）を、コンクリートの既打設部（６）に植設されたボルト（７）に溶接して結合した後、型枠を配置しコンクリートを流し込んで排水溝（８）を形成すると共にグレーチング表面と面一になるようコンクリートの打設部（９）を形成して該アンカー（５）部を埋設する。
要すれば、該コンクリート打設部（９）表面にタイル（１０）を貼り付ける。
以上のように構成することにより、本考案のグレーチングを容易に浴室の排水溝に設置することができる。
図３〜４は、本考案のグレーチングの他の構造、配置（平面図）を示すものである。
【符号の説明】
【００１７】
１  木枠
１−１  木枠構成部材
１−２  木枠構成部材
１−３  木枠構成部材
１−４  木枠構成部材
１−ａ  金属製帯状体
１−ｂ  樹脂製台座用円柱
２  畳
３  金属製グレーチング
３−１  断面Ｔ字形の長尺部材
３−２  クロスバー
４  金属製受け枠
５  アンカー
６  コンクリートの既打設部
７  植設されたボルト
８  排水溝
９  コンクリートの打設部
１０  タイル
【図１】
0003161730.tif 000003
【図２】
0003161730.tif 000004
【図３】
0003161730.tif 000005
【図４】
0003161730.tif 000006